(57)【要約】【課題】ケースを大型化することなく端子への配線および接続作業を容易にすることができる分電盤を提供する。【解決手段】前面開口２を有し前面開口２の奥側に底板４を有し底板４の両側に前面開口２に連続して開口する側面開口３を有するケース１と、底板４の一側縁に向いた端子を有して底板４の一側縁に平行に並設された複数の分岐ブレーカと、ケース１に取付けられて前面開口２を開閉するカバー９とを備え、ケース１は底板４の一端を上側にして壁面に取付けられ、上端に上端板５を有し下端に下端板６を有し、カバー９は上端板５および下端板６の各上面に当接可能な取付部１０および取付部１０に支持されて前面開口２を開閉する扉１１を有し、取付部１０が上端板５および下端板６に取付けられている。【選択図】        図１
2010273465.tif 000002
【特許請求の範囲】
【請求項１】
前面開口を有し前記前面開口の奥側を底板としたケースと、前記底板の一側縁に向いた端子を有して前記一側縁に平行に前記底板に並設された複数の分岐ブレーカと、前記ケースに取付けられて前記前面開口を開閉するカバーとを備え、前記ケースは、前記前面開口に連続して開口する側面開口を前記底板の前記一側縁側に有する分電盤。
【請求項２】
前記ケースは、前記底板の一端を上側にして壁面に取付けられるもので、前記底板の上端に上端板を立設し、下端に下端板を立設し、
前記カバーは、前記上端板および下端板の各上面に当接可能に取付けられた取付部を有し、前記取付部に支持されて前記前面開口を開閉する扉を有する請求項１記載の分電盤。
【請求項３】
前記側面開口は前記底板の両側に形成され、前記底板は両側縁の上側に前記壁面に対して浮いた上側被係合部を有し、前記上側被係合部に対して隙間をおいて前記両側縁の下側に前記壁面に対して浮いた下側被係合部を有し、
前記カバーは前記側面開口を塞ぐ側板を有し、前記側板の下端側に前記隙間を通して前記下側被係合部に係合する下側係合部を有し、前記側板の上端側に前記上側被係合部に係合する上側係合部を有する請求項２記載の分電盤。
【請求項４】
前記ケースは前記底板の一端を上側にして壁面に取付けられるもので、前記底板の前記上端に被引掛片を有し、前記底板の両側に立ち上がり片を有し、前記底板の下端に立設された下端板を有し、前記下端板の下面の両側より垂下した被取付片を有し、
前記カバーは、上端に屋根部を有し、前記被引掛片に引っ掛かる引掛部を前記屋根部の裏側に有し、前記立ち上がり片の外側に重なって前記側面開口を塞ぐ側板を有し、前記下端板の先端に被さる雨避け部を有し、前記被取付片に当接して取付けられる取付片を有する請求項１記載の分電盤。
【請求項５】
前記ケースは一対の平行なレール間に前記底板を取付けた構成を有し、前記カバーは前記底板よりも外側の前記レール上に取付けられる取付片を有して前記ケースに被さる請求項１記載の分電盤。
【発明の詳細な説明】
【技術分野】
【０００１】
この発明は、複数の分岐ブレーカを内蔵した分電盤に関するものである。
【背景技術】
【０００２】
分電盤は、たとえば図２１に示すように、箱形のケース５０の前面を扉（図示せず）で閉じた構成である。分電盤の内部は、複数の分岐ブレーカ５１がケース５０の底板に設置されており、複数の分岐ブレーカ５１は底板の両側に立設された側板５２に平行に２列に並び、分岐ブレーカ５１の出力端子５３が側板５２に向けて配置されている。また配線５４はケース５０の上端板５５ないし下端板５６を貫通して内部に引き込まれ、側板５２と出力端子５３との間のスペースに通されて出力端子５３に接続されている（特許文献１参照）。なお図２２は分電盤の外観図であり、（ａ）は扉５７がケース５０の前面に面一に設けられた例、（ｂ）は扉５７がケース５０の前面より突出して設けられた例、（ｃ）は屋外用であり屋根５８付きの例である。
【特許文献１】特開２００８−２５３０４７号公報
【発明の概要】
【発明が解決しようとする課題】
【０００３】
しかし、側板５２と出力端子５３との間のスペースは狭いため、スペース内で配線５４を端子５３に接続する作業性が悪い。スペース５０を広げると作業性はよくなるが、ケースが大形化する。
【０００４】
したがって、この発明の目的は、ケースを大型化することなく端子への配線作業を容易にすることができる分電盤を提供することである。
【課題を解決するための手段】
【０００５】
この発明の分電盤は、前面開口を有し前記前面開口の奥側を底板としたケースと、前記底板の一側縁に向いた端子を有して前記一側縁に平行に前記底板に並設された複数の分岐ブレーカと、前記ケースに取付けられて前記前面開口を開閉するカバーとを備え、前記ケースは、前記前面開口に連続して開口する側面開口を前記底板の前記一側縁側に有するものである。
【０００６】
上記構成において、前記ケースは、前記底板の一端を上側にして壁面に取付けられるもので、前記底板の上端に上端板を立設し、下端に下端板を立設し、前記カバーは、前記上端板および下端板の各上面に当接可能に取付けられた取付部を有し、前記取付部に支持されて前記前面開口を開閉する扉を有する。
【０００７】
上記構成において、前記側面開口は前記底板の両側に形成され、前記底板は両側縁の上側に前記壁面に対して浮いた上側被係合部を有し、前記上側被係合部に対して隙間をおいて前記両側縁の下側に前記壁面に対して浮いた下側被係合部を有し、前記カバーは前記側面開口を塞ぐ側板を有し、前記側板の下端側に前記隙間を通して前記下側被係合部に係合する下側係合部を有し、前記側板の上端側に前記上側被係合部に係合する上側係合部を有する。
【０００８】
上記構成において、前記ケースは前記底板の一端を上側にして壁面に取付けられるもので、前記底板の前記上端に被引掛片を有し、前記底板の両側に立ち上がり片を有し、前記底板の下端に立設された下端板を有し、前記下端板の下面の両側より垂下した被取付片を有し、
前記カバーは、上端に屋根部を有し、前記被引掛片に引っ掛かる引掛部を前記屋根部の裏側に有し、前記立ち上がり片の外側に重なって前記側面開口を塞ぐ側板を有し、前記下端板の先端に被さる雨避け部を有し、前記被取付片に当接して取付けられる取付片を有する。
【０００９】
上記構成において、前記ケースは一対の平行なレール間に前記底板を取付けた構成を有し、前記カバーは前記底板よりも外側の前記レール上に取付けられる取付片を有して前記ケースに被さる。
【発明の効果】
【００１０】
この発明の分電盤によれば、ケース上で複数の分岐ブレーカの端子に配線する場合、ケースの側面開口を利用して広いスペースで配線作業が行えるので、ケースを大型化することなく作業容易になる。
【００１１】
カバーは上端板および下端板の各上面に当接可能にケースに被さるため、カバーが上端板の上側および下端板の下側に被さる場合と比較して、カバーの寸法誤差があっても、カバーの上端板の上側および下端板の上側のいずれかに当接して支持された状態で取付けることができるので常にカバーをケースに被せることができ、またカバー側の寸法を大きくしておくと、かならず下板が下端板に当接した状態で取付具により取付けられるので、カバーの下側ががたつきにくくなる。
【００１２】
ケースの底板の両側縁に上側被係合部および下側被係合部を有し、これらに係合する上側係合部および下側係合部をカバーに有するため、カバーをケースに被せたとき容易に外れないのでカバーの取付作業が容易になる。またケースの上側被係合部および下側被係合部の間に隙間をおきカバーの下側係合部を隙間に通すことにより下側係合部を下側被係合部に係合し、かつ上側係合部を上側被係合部に係合することができ、カバーをケースの約半分の高さ上方に持ち上げた状態でカバーの取付作業が安全かつ容易にできる。
【００１３】
ケースの被引掛片に引っ掛ける引掛部をカバーの屋根部に形成し、底板の両側の立ち上がり片の外側にカバーの側板を有し、下端板の先端に被さる雨避け部をカバーに形成し、下端板に垂下したケースの被取付片にカバーの取付片を取付けたため、雨水がケース内へ浸入するのを容易に防止することができるとともに、カバーの取付けが容易にできる。
【００１４】
カバーをケースに被せ取付片をレールに取付けるため、カバーを底板に取付ける場合よりも、カバーの寸法誤差に対応しやすくカバーを確実にケースに取付けることができる。
【図面の簡単な説明】
【００１５】
【図１】この発明の第１の実施の形態の分電盤を示し、（ａ）はカバーの斜視図、（ｂ）はカバーをケースに被せた状態の斜視図、（ｃ）はケースの斜視図である。
【図２】分電盤の下側の端面図である。
【図３】第２の実施の形態のケースの斜視図である。
【図４】（ａ）はケースにカバーを被せた状態の上側部分の斜視図、（ｂ）は同じく下側部分の斜視図である。
【図５】分電盤の下側の端面図である。
【図６】第３の実施の形態のケースの斜視図である。
【図７】（ａ）はカバーの斜視図、（ｂ）はカバーをケースに被せた状態の斜視図である。
【図８】分電盤の下側の端面図である。
【図９】第４の実施の形態のケースの斜視図である。
【図１０】（ａ）はケースにカバーを被せた状態の上側部分の斜視図、（ｂ）は下側部分の斜視図である。
【図１１】分電盤の下側の端面図である。
【図１２】第５の実施の形態のケースの斜視図である。
【図１３】（ａ）はカバーの斜視図、（ｂ）はケースにカバーを被せた状態の斜視図である。
【図１４】分電盤の下側の端面図である。
【図１５】第６の実施の形態のケースの斜視図である。
【図１６】分電盤の下側の端面図である。
【図１７】第７の実施の形態のケースの斜視図である。
【図１８】カバーの斜視図である。
【図１９】ケースにカバーを被せた状態の斜視図である。
【図２０】分電盤の下側の端面図である。
【図２１】従来の分電盤の扉を開いた状態の内部構成の正面図である。
【図２２】従来の分電盤の外観斜視図である。
【発明を実施するための形態】
【００１６】
この発明の第１の実施の形態を図１および図２により説明する。図１は分電盤のケースおよびカバーの斜視図を示している。ケース１は、たとえば取付面となる壁面に取付けられる底板４と、底板４の上下端に折曲された上端板５および下端板６と、底板４の両側に形成された立ち上がり片７とを有し、これらにより前面開口２を形成し前面開口２の奥側に底板４を有する構成とするとともに、前面開口２に連続して両側が開口する配線作業用の側面開口３を形成している。上端板５および下端板６は入線用開口（図示せず）を形成するとともに、カバー取付用の複数たとえば６個の連結孔８を形成している。ケース１の底板４上には複数の分岐ブレーカ（図示せず）を含む内器が配置され、たとえば底板４の両側縁に平行に２列に並び、側面開口３に各分岐ブレーカの端子（図示せず）を向けている。カバー９はケース１に取付けられて前面開口２を開閉するもので、ケース１の上端板５および下端板６の上面に当接可能な取付部１０および取付部１０に支持されて前面開口２を開閉する扉１１を有し、取付部１０が上端板５および下端板６に取付具（図示せず）により取付けられている。取付部１０はケース１の上端板５の周縁部に重なるように切欠き１７を形成した上板１２、下端板６の周縁部に重なるように切欠き１７を形成した下板１３、および側面開口３を塞ぐ側板１４からなる枠体であり、連結孔８に整合するように上板１２および下板１３に６個の孔１５を形成し、側板１４は先端に内向き片１６を折曲している。扉１１は上板１２、下板１３および側板１４により形成された開口を開閉するように取付けられて、取付部１０がケース１に取付けられたとき、前面開口２を開閉自在に塞いでいる。取付具は連結孔８および孔１５に通すボルトおよびボルトに螺合するナットからなり、取付具によってカバー９がケース１に取付けられる。
【００１７】
図１（ｂ）および図２はカバー９をケース１に被せた状態を示している。ケース１を壁面に取付け、複数の分岐ブレーカを含む内器（図示せず）をケース１に取付ける。上端板５および下端板６の入線用開口（図示せず）を通して電線（図示せず）をケース１内に引き込み、ケース１の前面開口２および側面開口３を利用して分岐ブレーカの端子（図示せず）に接続する。カバー９は上板１２が上端板５の上側に位置し、かつ下板１３が下端板６の上側に位置するようにケース１に被せる。上端板５と下端板６の間の寸法が、上板１２と下板１３の間の寸法より長いとき、上端板５と上板１２が当接し、これと逆のとき下端板６と下板１３が当接する。扉１１を開いた状態または外した状態で、ボルトを連結孔８および孔１５に通し、ナットで連結する。このとき側板１４の内向き片１６は立ち上がり片７の外側に位置する。扉１１を閉じると分電盤が壁面に取付状態となる。
【００１８】
この実施の形態によれば、ケース１上で複数の分岐ブレーカの端子に配線する場合、ケース１の側面開口３を利用して広いスペースで配線作業が行えるので、ケース１を大型化することなく作業容易になる。またたとえばカバー９が上端板５の上側および下端板６の下側に被さるように、カバー９の上板１２と下板１３間の寸法をケース１の上端板５と下端板６間の寸法より長く設定すると、下板１３と下端板６との間に隙間が形成されカバー１の下側がたつきやすくなり、寸法誤差等により両寸法が等しくなるとカバー９がケース１に被さることができなくなるが、上記実施の形態では、カバー９は上板１２が上端板５の上側に位置し、かつ下板１３が下端板６の上側に位置するようにケース１に被せるため、カバーに寸法誤差があっても、カバー９の上端板５の上側および下端板６の上側のいずれかに当接して支持された状態で取付けることができるので常にカバー９をケース１に被せることができ、カバー９側の寸法を大きくしておくと、かならず下板１３が下端板６に当接した状態で取付具により取付けられるので、カバー９の下側ががたつきにくくなる。
【００１９】
この発明の第２の実施の形態を図３から図５により説明する。すなわち、この分電盤は、第１の実施の形態と比較して、ケース１の底板４に脚部１８を設け、脚部１８により底板４を壁面に対して浮かした点が異なる。脚部１８は底板４に一体成形によりたたき出されている。その他の構成は第１の実施の形態と同様であるので、同一個所に同一符号を付して説明を省略している。
【００２０】
この発明の第３の実施の形態を図６から図８により説明する。すなわち、この分電盤は、第１の実施の形態と比較して、第１の実施の形態の底板４の両側縁の立ち上がり片７およびカバー９の内向き片１６がない代わりに、つぎの構成がある。ケース１の底板４の両側縁の中央部にたとえば切欠き１９により形成された隙間を挟んで上側および下側に壁面に対して浮くようにＺ字形の段部２２を介して上側被係合部２０および下側被係合部２１を底板４に平行に外方に張り出している。カバー９は側面開口３を塞ぐ側板１４の下端側に切欠き１９を通して下側被係合部２１に係合する下側係合部２３を有するとともに、側板１４の上端側に上側被係合部２０に係合する上側係合部２４を有する。この場合、分電盤の壁面取付状態において、下板１３の両側の先端縁が下側係合部２３よりも若干前方にあって下側係合部２３の下端２３aを切欠き１９を通して下側被係合部２１の裏側に係合できるようにしている。一方上側係合部２４と上板１２の先端縁とは同じ位置にあって上側係合部２４が上側被係合部２０の裏側に係合することによりカバー９の上板１２が上側被係合部２０の上端に係止可能にしている。その他の構成は第１の実施の形態と同様であるので同じ箇所に同じ符号を付して説明を省略している。
【００２１】
第３の実施の形態によれば、ケース１の底板４の両側縁に上側被係合部２０および下側被係合部２１を有し、これらに係合する上側係合部２４および下側係合部２３をカバー９に有するため、カバー９をケース１に被せたとき容易に外れないのでカバー９の取付作業が容易になる。またケース１に上側被係合部２０および下側被係合部２１の間に隙間を設け、カバー９の下側係合部２３を隙間に通すことにより下側係合部２３を下側被係合部２１に係合しかつ上側係合部２４を上側被係合部２０に係合することができ、カバー９をケース１の約半分の高さ上方に持ち上げた状態でカバー９の取付作業が安全かつ容易にできる。
【００２２】
この発明の第４の実施の形態を図９から図１１により説明する。この分電盤は、第３の実施の形態において、ケース１の底板４に脚部１８を設けることにより、底板４を壁面に対して浮かし、上側被係合部２０および下側被係合部２１は底板４の両側より段部を介さずに面一に外方へ延長している。脚部１８は底板４に一体成形によりたたき出している。その他の構成は第３の実施の形態と同様であるので同一個所に同一符号を付して説明を省略している。
【００２３】
この発明の第５の実施の形態を図１２から図１４により説明する。この分電盤は、ケース１が壁面に取付けられる底板４の両側に立ち上がり片７を有し、上端に被引掛片２５を有し、この被引掛片２５は底板４の上端をＺ字形の段部を介して上方に延出することにより、壁面から浮かしている。またケース１の下端に下端板６を立設し、下端板６の両側において下端板６の先端６ａより後退した位置に下方に向けて被取付片２６を垂下している。被取付片２６には取付具のたとえばボルトを通すための孔２８を形成している。カバー９は上端に屋根部２７を有し、被引掛片２５に引っ掛かる引掛部（図示せず）を屋根部２７の裏面に有し、立ち上がり片７の外側に重なって側面開口３を塞ぐ側板４を両側に有し、下端板６の先端６ａに被さる雨避け部３０を有し、さらに被取付片２６に当接して取付具により取付けられる取付片２９を有する。また取付片２９の前端間を繋ぐとともに雨避け部３０に連なる垂下部３１を有する。なお扉１１は取付部１０の前面より突出するように取付けている。その他、第１の実施の形態と共通する箇所に同一符号を付して説明を省略する。
【００２４】
第５の実施の形態によれば、ケース１の被引掛片２５に引っ掛ける引掛部をカバー９の屋根部２７に形成し、底板４の両側の立ち上がり片７の外側に側板１４を有し、下端板６の先端に被さる雨避け部３０をカバー９に形成し、下端板６に垂下した被取付片２６にカバー９の取付片２９を取付けたため、雨水がケース内へ浸入するのを容易に防止することができるとともに、カバー９の取付けが容易にできる。
【００２５】
この発明の第６の実施の形態を図１５および図１６により説明する。すなわち、第５の実施の形態において、ケース１に脚部１８を設けて底板４を壁面から浮かし、被引掛片２５は段部を設けずに、底板４の上端部から面一に外方に延出している。なお、脚部１８は第２の実施の形態等と同構成である。またカバー９の側板１４は取付状態のカバー９の前後方向の長さを長くして底板４が壁面から浮いても側板１４が壁面に当接ないし接近するようにしている。その他は第５の実施の形態と同様であり、同一個所に同一符号を付して説明を省略している。
【００２６】
この発明の第７の実施の形態を図１７から図２０により説明する。すなわち、この分電盤は、ケース１が一対の平行なレール３７間に底板４となる内器支持台３２を取付けて、複数の分岐ブレーカを含む内器ユニットの一部を兼ねた構成としている。各レール３７は壁面に縦に設置され、レール相互は横方向に平行に並んでいる。内器支持台３２の上端には上端板５を設けおよび下端には下端板６を設けている。レール３７の内器支持台３２の外側すなわち上端板５よりも上側および下端板６よりも下側には取付孔３３を形成している。カバー９はレール３７の取付孔３３に取付具により取付けられる取付片３４を有するものである。カバー９は上板１２、下板１３、側板１４により形成された枠状の取付部１０および扉１１を有する。上板１２はケース１の上端板５の上側に被さり、下板１３は下端板６の下側に被さり、側板１４は側面開口３を塞ぐ。扉１１は取付部１０により形成された開口を開閉するように取付部１０にヒンジ付けされて開口に連通する前面開口２を開閉する。また扉１１は上板１２、下板１３、側板１４で形成される取付部１０の前面より突出して設けている。レール３７の取付孔３３に重なる取付片３４は上板１２および下板１３にそれぞれ設けられ、取付片３４に取付孔３３に整合する孔３５を形成している。取付具はボルトとナットからなり、ボルトが取付孔３３および孔３５に通されてナットがねじ込まれ取付片３４がレール３７に固定される。その他第１の実施の形態と共通する部分に同一符号を付して説明を省略する。
【００２７】
第７の実施の形態よれば、カバー９をケース１に被せ取付片３４をレール１に取付けるため、カバー９をケース１の内器支持台３２の上端板５や下端板６に取付ける場合よりも、カバー９の寸法誤差に対応しやすくカバーを確実にケースに取付けることができる。
【００２８】
なお、上記実施の形態では側面開口３を底板４の両側に形成しているが、分岐ブレーカが１列のみの場合には側面開口３を底板４の分岐ブレーカの端子が向く片側のみに形成してもよい。上端板５および下端板６は、カバー取付用のため両側部分のみを残して、中央部分全体にたとえば切欠きにより入線用開口を形成してもよい。カバー９の側板１４は側面開口２に連通する開口が設けられてもよい。取付具はボルトおよびナットにより構成したが、ケース１側およびカバー９側の孔のいずれか一方をねじ孔により形成して取付具をねじとしてもよい。この発明において、ケース１は壁面に取付ける場合に限らない。
【符号の説明】
【００２９】
１  ケース
２  前面開口
３  側面開口
４  底板
５  上端板
６  下端板
７  立ち上がり片
８  連結孔
９  カバー
１０  取付部
１１  扉
１２  上板
１３  下板
１４  側板
１５  孔
１６  内向き片
１９  切欠き
２０  上側被係合部
２１  下側被係合部
２３  下側係合部
２４  上側係合部
２５  被引掛片
２６  被取付片
２７  屋根部
２８  孔
２９  取付片
３０  雨避け部
３２  内器支持台
３３  取付孔
３４  取付片    
３７  レール
【図１】
2010273465.tif 000003
【図２】
2010273465.tif 000004
【図３】
2010273465.tif 000005
【図４】
2010273465.tif 000006
【図５】
2010273465.tif 000007
【図６】
2010273465.tif 000008
【図７】
2010273465.tif 000009
【図８】
2010273465.tif 000010
【図９】
2010273465.tif 000011
【図１０】
2010273465.tif 000012
【図１１】
2010273465.tif 000013
【図１２】
2010273465.tif 000014
【図１３】
2010273465.tif 000015
【図１４】
2010273465.tif 000016
【図１５】
2010273465.tif 000017
【図１６】
2010273465.tif 000018
【図１７】
2010273465.tif 000019
【図１８】
2010273465.tif 000020
【図１９】
2010273465.tif 000021
【図２０】
2010273465.tif 000022
【図２１】
2010273465.tif 000023
【図２２】
2010273465.tif 000024